(57)【要約】【課題】室内で使用した際の階下への振動と騒音の伝達を低減できるとともに、設置・撤去が容易で安価なゴルフ練習マット用の支持台を提供する。【解決手段】ゴルフ練習マット用支持台１は、剛性があり、上面のボールが置かれる位置に対応する位置が開口しているフレーム１０と、フレーム１０の内部に収容された緩衝部材２０とを備えている。ゴルフ練習マット３０と床面の間に緩衝部材２０が配置されるから、ゴルフ練習マット３０がクラブにより打撃された際の振動と騒音の階下への伝達を低減することができる。また、緩衝部材２０は剛性のあるフレーム１０内に収容されているから、緩衝部材２０を軟質の材料で構成してもゴルフ練習マット用支持台１０を容易かつ安価に設置および撤去することができる。【選択図】図６
2020156577.tif 000002
【特許請求の範囲】
【請求項１】
剛性があり、上面のボールが置かれる位置に対応する位置が開口しているフレームと、
前記フレームの内部に収容された緩衝部材とを備え、
前記フレームの上部にゴルフ練習マットを配置して用いるゴルフ練習マット用支持台。
【請求項２】
前記干渉部材は複数の緩衝層と、前記緩衝層間に配置された支持層とを備えることを特徴とする請求項１に記載のゴルフ練習マット用支持台。
【請求項３】
前記フレームには、人が指をかけて持ち運ぶため切欠が設けられていることを特徴とする請求項１または請求項２に記載のゴルフ練習マット用支持台。
【請求項４】
前記フレームの底面から下方に突出し、弾性のある足部材を備えることを特徴とする請求項１ないし請求項３のいずれか１項に記載のゴルフ練習マット用支持台。
【請求項５】
請求項１ないし請求項４のいずれか１項に記載のゴルフ練習マット用支持台を備えたゴルフ練習台。
【発明の詳細な説明】
【技術分野】
【０００１】
本発明は、ゴルフ練習マット用支持台、特に室内で使用する支持台、およびそのようなゴルフ練習マット用支持台を備えたゴルフ練習台に関する。
【背景技術】
【０００２】
室内でゴルフの練習をするためのゴルフ練習マットが広く用いられている。ゴルフ練習マットの構造は、ゴム等からなる可撓性のマットの上に合成樹脂等からなる人工芝を固定したものが一般的である（たとえば特許文献１の図２）。このようなゴルフ練習マットは、建物の床の上に直接、あるいは支持台を介して設置されて使用される。
【０００３】
特許文献２には、剛性フレーム１２内にスプリング張力のかかったケーブルシステム２０を配置するとともに、剛性フレーム１２の上面に人工芝手段１４を配置したゴルフ練習マットが記載されている（特許文献２のＦｉｇ１，３等）。このような構成により、「ゴルフコースのティー、フェアウエイ、ラフ又はバンカーにおけると同じような感覚でアイアン又はウッドのヘッドによる衝撃を生ずる」としている（特許文献２の第２頁、左下欄第１行から第４行）。
【０００４】
特許文献３には、フレーム２２のチャネル３８に人工芝等のパッド２４をクラブのスイング方向に平行な方向に移動可能に取り付けたゴルフマットが記載されている（特許文献３の図１等）。このような構成により、「ゴルファーは、芝および土が衝撃力を吸収する、本物の芝を打つことにより似ている感覚を得る」としている（特許文献３の段落００１９）。
【０００５】
特許文献４には、ベース部２の上面に人工芝５を重ねた構造のゴルフ練習用マットが記載されている。人工芝５の下面には凸部８が設けられ、この凸部により人工芝５を支持することにより、ベース部２の上面と人工芝５の下面との間に空隙９を形成している（特許文献４の図３等）。このような構成により「床面側への騒音の伝達量を低減することができ、階下に住空間のあるマンション等の集合住宅の部屋におけるゴルフの練習でも、階下への騒音の到達を抑制して、問題なく練習を実行できる」としている（特許文献４の段落００２８）。
【先行技術文献】
【特許文献】
【０００６】
【特許文献１】特開２００４−２４９０００号公報
【特許文献２】特開平３−７５０７５号公報
【特許文献３】特表２０１５−５１４５５５号公報
【特許文献４】特開２０１３−２２０１１４号公報
【発明の概要】
【発明が解決しようとする課題】
【０００７】
練習の際にスイングが下側にずれクラブがマットをたたいてしまった場合に振動と騒音が生じる。特許文献１〜３に記載のゴルフ練習マットでは、振動と騒音の伝達を抑制するように構成されていないため、このようなゴルフ練習マットを室内で使用すると、床を介して振動と騒音が階下に伝わってしまうという問題があった。
【０００８】
特許文献４に記載のゴルフ練習マットでは、ベース部と人工芝との間に空隙を設けることにより、上記のような問題の解決を図っている。しかし、ゴルフ練習マットがクラブによる打撃を受けた際に、空隙部の空気が圧迫されて新たな騒音が発生するおそれがあった。また、人工芝部分は下面に凸部を設ける必要があるため市販されているゴルフ練習マットをそのまま用いることができずコスト面に難があった。さらに、ベース部を軟質の材料で構成した場合には、運搬時や設置時に取り扱いにくいという問題があった。
【０００９】
室内で使用するゴルフ練習マットを設置するための支持台は、現場製作で床面に強固に固定されるため、設置の際の工数が多く費用も高額となることが多かった。また、そのような支持台は撤去の際も同様に工数が多く、特に、賃貸物件の退去時に現状復旧するために高額の工事費が発生していた。
【００１０】
そこで、本発明では、室内で使用した際の階下への振動と騒音の伝達を低減できるとともに、設置・撤去が容易で安価なゴルフ練習マット用の支持台を提供することを目的とする。
【課題を解決するための手段】
【００１１】
本発明のゴルフ練習マット用支持台は、剛性があり、上面のボールが置かれる位置に対応する位置が開口しているフレームと、フレームの内部に収容された緩衝部材とを備え、フレームの上部にゴルフ練習マットを配置して用いる。
【発明の効果】
【００１２】
本発明によれは、ゴルフ練習マットがクラブにより打撃された際の振動と騒音の階下への伝達を低減することができる。また、支持台を容易かつ安価に設置および撤去することができる。
【図面の簡単な説明】
【００１３】
【図１】第１の実施形態であるゴルフ練習マット用支持台の平面図である。
【図２】ゴルフ練習マット用支持台の下面図である。
【図３】ゴルフ練習マット用支持台の側面図である。
【図４】ゴルフ練習マット用支持台の図１のＡ−Ａ線における断面図である。
【図５】ゴルフ練習マット用支持台の正面図である。
【図６】ゴルフ練習マット用支持台の図１のＢ−Ｂ線における断面図である。
【図７】図７（ａ）はゴルフ練習台の組み立て方法を説明する図、図７（ｂ）はゴルフ練習台の使用状態を示す平面図である。
【図８】ゴルフ練習台の使用状態を示す正面図である。
【図９】第２の実施形態であるゴルフ練習マット用支持台の断面図である。
【図１０】図１０（ａ）、（ｂ）は緩衝部材の変形例を示す図である。
【発明を実施するための形態】
【００１４】
図面を参照しながら本発明の第１の実施形態であるゴルフ練習マット用支持台１について詳細に説明する。
図１はゴルフ練習マット用支持台１の平面図、図２はゴルフ練習マット用支持台１の下面図、図３はゴルフ練習マット用支持台１の側面図、図４はゴルフ練習マット用支持台１の図１のＡ−Ａ線における断面図、図５はゴルフ練習マット用支持台１の正面図、図６はゴルフ練習マット用支持台１の図１のＢ−Ｂ線における断面図である。
【００１５】
ゴルフ練習マット用支持台１は、フレーム１０と、フレーム１０の内部に収容された緩衝部材２０とを備えている。ゴルフ練習マット用支持台１の上には、ゴルフ練習マット３０が設置される。ゴルフ練習マット３０は、ゴルフ練習マット用支持台１の上面に単に置くだけでもよいし、接着剤等により固定してもよい。
【００１６】
フレーム１０は、底板１１、２枚の側板１２、２枚の端板１３、７本の補剛部材１４、天板１５を備えている。
底板１１は、平面形状が長方形の板状部材である。底板１１の上面には、短辺と平行な方向に補剛部材１４が相互に間隔をあけて７本配置されている。補剛部材１４を配置することにより、平板１４の曲げ剛性が増加し、使用時や運搬時・施工時の底板１１の変形を防止することができる。
【００１７】
この実施例では底板を１枚の平板により構成したが、緩衝部材２０を保持することができれば、他の態様とすることができる。たとえば、開口部を有する板状部材や、格子状部材等としてもよい。
【００１８】
底板１１の長辺側の両端部にはそれぞれ、底板１１に略垂直に側板１２が立設されている。側板１２は、長辺の長さが底板１１の長辺の長さに略等しい板状部材である。
【００１９】
底板１１の短辺側の両端部にはそれぞれ、底板１１に略垂直に端板１３が立設されている。端板１３は長辺の長さが底板１１の短辺の長さに略等しい長方形の板状部材で、図３に示すように、その内側面１３ａが側板１２の端面に当接している。端板１３の高さは、側板１２の高さと略等しく、そのため、底板１１の外周面に隙間なくが壁が形成され、緩衝部材２０が、図１の上下方向および左右方向にフレーム１０の外側に逸脱するのを防止している。このように緩衝部材２０を保持することができれば、本実施形態のように底板１１の外周を完全に囲む態様以外の態様とすることもできる。たとえば、側板１２を底板１１の長辺の長さよりも短い複数の板状部材とし、側板１２の長辺側端部に間隔をあけて配置してもよい。端板１３についても同様である。
【００２０】
側板１２および端板１３の上面には天板１５が固定されている。天板１５は、外形が底板１１と略等しい板状部材で、その中央部には大きな開口部１５ａが形成されている。この開口部１５ａは、平面的に、ゴルフ練習マット３０の使用時にボールが置かれる位置の下に対応する部分に設け、打撃の際の衝撃がフレーム１０に直接伝達されないようにする。天板１５も上記の条件を満たせば、この態様には限定されない。
【００２１】
底板１１の下面の四つの隅角部にはそれぞれ、下方に突出し弾性のある足部材１６が設けられている。足部材１６は、たとえば合成ゴムや軟質の合成樹脂などの変形しやすい材料で構成され、この実施形態では平面視略正方形の板状部材としている。足部材１６を設けることにより、フレーム１０を介して振動と騒音が階下に伝達されることを防止することができる。このような機能を十分発揮するために、足部材１６は平面的に十分な大きさを有することが望ましい。たとえば、１辺の長さが底板１１の短辺の長さの１／４程度の正方形とするのが好適である。
【００２２】
また、底板１１とゴルフ練習マット用支持台１が設置される床面等との間に足部材１６が介在することにより、床面等に多少の不陸があっても特段の調整をすることなくゴルフ練習マット用支持台１を置くだけで安定した状態に設置することができる。なお、足１６の形状や個数はこの実施形態と異なっていても良い。また、足１６は必須ではなく省略することもできる。
【００２３】
図３に示すように、２枚の側板１２の下端側にはそれぞれ２箇所の切欠１７が設けられている。図５に示すように、２枚の端板１３の下端側にもそれぞれ１箇所の切欠１７が設けられている。切欠１７の大きさは、人が指をかけることができる程度の大きさとし、作業者がゴルフ練習マット用支持台１を持ち運びやすくしている。なお、この実施形態では、側板１２と端板１３の両方に切欠１７を設けているが、一方にだけ設けても良い。また、切欠１７は必須ではなく省略することもできる。
【００２４】
フレーム１０は、剛性のある構造（運搬時、設置時、使用時においてその変形が無視できる程度の剛性を有している）で、かつ、緩衝部材２０がフレーム１０から逸脱したり突出したりしないように保持できる構造であればよく、本実施形態の態様には限定されない。たとえば、フレーム１０の平面形状は円形、正方形等の長方形以外の形状とすることもできる。また、部材の分割も任意であり、たとえば、底板、側板、端板を一体形成とすることもできる。
【００２５】
フレーム１０全体として上記のような条件を満たすことができれば、各構成要素の材質も任意であり、たとえば、金属、合成樹脂、木材等を用いることができる。
【００２６】
緩衝部材２０は、側板１２の内側面、端板１３の内側面、天板１５の下面、補剛部材１４の上面により規定される空間に収まる板状の部材である。この実施形態では、緩衝部材２０を側板１２の内側面および端板１３の内側面に当接するように配置しているが、隙間が生じるように配置してもよい。
【００２７】
天板１５の開口部１５ａには、天板１５と略同じ厚さの板状部材であるカーバー部材１８が設けられている。カバー部材１８は、ゴルフ練習用マット３０の裏地の材質、厚さに応じて調整し、天板１５に衝撃を伝達しにくい構造とする。たとえば、天板２０を金属で構成した場合には、カバー部材１８を緩衝部材２０よりは硬質で天板１５よりは軟質の合成樹脂で構成することができる。カバー部材１８を配置することにより、クラブの打撃によって緩衝部材２０が損傷するのを防止することができる。また、天板１５を設けてゴルフ練習マット用支持台１の上面を平坦にすることにより、練習者が所持しているゴルフ練習マットの流用も可能となる。なお、カバー部材１８の上面が天板１５の上面より下がっていると使用するゴルフ練習用マットによってはショットミス時にクラブが天板１５の内側面１５ｂ（図４参照）を叩き、クラブや天板１５が損傷したり、練習者の手首へ衝撃を与えたりすることも予想される。そのため、カバー部材１８の上面はショット時の沈み込みを織り込んで、図４に示すように天板１５の上面と高さを揃えるのが好ましい。
【００２８】
緩衝部材２０の材質は、クラブによりゴルフ練習マット３０が打撃された際の振動を吸収できる軟質のものとする。されらに、その際に生じる騒音も吸収できる材料とするのが好ましい。たとえば、軟質のポリウレタンフォームなどを好適に用いることができる。防音部材２０を、ゴルフ練習マット３０と床との間に配置することにより、クラブがゴルフ練習用マット３０をたたいた際に発生する振動と騒音を吸収することができる。そのため、ゴルフ練習マット用支持台１の上にゴルフ練習マット３０を配置して用いれば、特に屋内のゴルフ練習場において、従来のゴルフ練習マット用支持台を用いた場合に比べて階下への振動・騒音の伝達を大幅に低減することができる。
【００２９】
緩衝部材２０の寸法は、短辺が５００ｍｍ程度、長辺が１０００ｍｍ程度、厚さ１００ｍｍ程度が想定される。緩衝部材２０を上記のような軟質の材料により構成すると、自重により容易に変形してしまうめ、取り扱いにくくなってしまう。たとえば、建築用のパネル部材のように、立てた状態で保管、運搬等ができずに、丸めておくか、平積みしておく必要がある。しかし、ゴルフ練習マット用支持台１では、緩衝部材２０が剛性のあるフレーム１０内に収容されているため、自重により大きく変形することがない。そのため、ゴルフ練習マット用支持台１はパネル部材等と同様に容易に運搬や設置をするができる。
【００３０】
ゴルフ練習マット３０は、ゴルフ練習マット用支持台１の上に配置するだけで良いから、市販の製品をそのまま利用することができる。そのため、特殊な構造のゴルフ練習マットを製作する必要がある場合に比べて安価にゴルフ練習台を構築することができる。
【００３１】
ゴルフ練習マット用支持台１の上面は平坦になっているから、ゴルフ練習マット３０の下面との間には空隙がない。そのため、ミスショット時にクラブや天板１５が損傷したり、練習者の手首へ衝撃を与えたりすることを防止することができる。
【００３２】
ゴルフ練習マット用支持台１は、単独で用いることもできるが、足場台と組み合わせてゴルフ練習台として用いると、より快適に練習を行うことができる。図７（ａ）はゴルフ練習台５０の組み立て方法の一例を説明する図、図７（ｂ）はゴルフ練習台５０の使用状態を示す平面図、図８はゴルフ練習台５０の使用状態を示す平面図である。
【００３３】
足場台４０は、ゴルフの練習者が上に立つための平面視が長方形の台で、練習者の体重を支持できるように強固に構成されている。足場台４０の長辺と、ゴルフ練習マット用支持台１の長辺は略等しい長さに構成されている。ゴルフ練習マット用支持台１の２枚の端板１３には、それぞれ、連結部材１９が固定されている。連結部材１９は棒状、あるいは板状の部材で、たとえば角形鋼管等を用いることができる。連結部材１９と端板１３の接続は、溶接等によって固定してもよいし、ボルト等により容易に取り外しできるように固定してもよい。
【００３４】
設置場所において、ゴルフ練習マット用支持台１を、設置面４１（図８参照）の上に、図７（ａ）のように足場台４０の近傍に互いの長辺が平行になるように置く。そして、同図の矢印Ａのようにスライドさせて、足場台４０の右側面とゴルフ練習マット用支持台１の左側面を図７（ｂ）のように当接させる。このとき、接続部部材１９の端板１３から突出した部分１９ａがガイドの働きをしてスムーズに移動させることができる。次に、たとえば、ボルト１９ｂによって、ゴルフ練習マット支持台１を足場台４０に固定し、ゴルフ練習台５０を構成する。足場台４０とゴルフ練習マット用支持台１を図７（ｂ）の左右方向に隙間を空けて配置することもできるが、図７（ｂ）のように当接させた方が、練習者にストレスを与えにくいため好ましい。
【００３５】
図８に示すように、ゴルフ練習台５０は、建物の床の上面等の設置面４１の上に置かれて使用される。足場台４０の上面とゴルフ練習マット用支持台１の上面にはそれぞれゴルフ練習マット３０ａ、３０ｂが配置されている。練習者はゴルフ練習マット用支持台１の上に配置されたゴルフ練習マット３０ｂの上面中央付近に置かれたボール４２をクラブで打ってゴルフの練習する。
【００３６】
ゴルフ練習マット３０ａの上面の設置面４１からの高さＨ１と、ゴルフ練習マット３０ｂの上面の設置面４１からの高さＨ２は、図８に示すように略一致するようにするのが好ましい。
【００３７】
次に、図面を参照しながら本発明の第２の実施形態であるゴルフ練習マット用支持台２について詳細に説明する。第１の実施形態と同様の構成要素については図面に第１の実施形態と同一の符号を付して、説明を省略する。
【００３８】
図９は、ゴルフ練習マット用支持台２の断面図である。ゴルフ練習マット用支持台２は、ゴルフ練習マット用支持台１と同様に、フレーム１０の内部に緩衝部材２１を収容した構成となっているが、緩衝部材２１は、複数の層により構成されている。この実施形態では、緩衝材２１は、緩衝部材２０と同様に振動を吸収できる軟質の材料からなる緩衝層２１ａ、２１ｂと、それらの間に配置された支持層２１ｃの３層により構成されている。二つの緩衝層２１ａ、２１ｂの厚さと材質は、それぞれ、同一でもよいし異なっていてもよい。
【００３９】
支持層２１ｃは、緩衝層２１ａ、２１ｂよりも硬質の材料からなる板状の部材である。たとえば、緩衝層２１ａ、２１ｂを軟質のポリウレタンフォームで構成した場合には、支持層２１ｃは硬質のポリウレタンフォームその他の合成樹脂、金属、木材等で構成することができる。
【００４０】
緩衝層２１ａ、２１ｂは、軟質の材料により構成されているため、クラブにより強い打撃を受けると塑性変形をしてしまうことがある。しかし、支持層２１ｃを二つの緩衝層２１ａ、２１ｂの間に配置することにより、緩衝層２１ａ、２１ｂが受ける衝撃力を支持し緩衝層２１ａ、２１ｂが塑性変形することを防止できる。
【００４１】
図１０（ａ）、（ｂ）は緩衝部材の変形例を示す図である。図１０（ａ）に示す干渉部材２２は、三つの緩衝層２２ａ、２２ｂ、２２ｃと、緩衝層２２ａと緩衝層２２ｂとの間に配置された支持層２２ｄと、緩衝層２２ｂと緩衝層２２ｃとの間に配置された支持層２２ｅの五つの層により構成されている。この例のように、緩衝層は３層以上とすることができる。この場合、緩衝層間の一つ以上に支持層を配置すればよく、必ずしも全てに支持層を配置しなくてもよい。支持層を２層以上とする場合は、各支持層の厚さと材質は、それぞれ、同一でもよいし異なっていてもよい。
【００４２】
図１０（ｂ）に示す干渉部材２３は、二つの緩衝層２３ａ、２３ｂと、これらの間に配置された支持層２３ｃと、緩衝層２３ａの上面に配置された支持層２３ｄの４層により構成さている。このように、緩衝層間に加えて最上部の緩衝層の上面に支持層を設けてもよい。同様に、緩衝層間に加えて最下部の緩衝層の下面に支持層を設けてもよい。
【符号の説明】
【００４３】
１、２  ゴルフ練習マット用支持台
１０  フレーム
１１  底板
１２  側板
１３  端板
１３ａ  内側面
１４  補剛部材
１５  天板
１５ａ  開口部
１５ｂ  内側面
１６  足部材
１７  切欠
１８  カバー部材
１９  接続部材
１９ａ  突出した部分
１９ｂ  ボルト
２０、２１、２２、２３  緩衝部材
２１ａ、２１ｂ、２２ａ、２２ｂ、２２ｃ、２３ａ、２３ｂ  緩衝層
２１ｃ、２２ｄ、２２ｅ、２３ｃ、２３ｄ  支持層
３０、３０ａ、３０ｂ  ゴルフ練習マット
４０  足場台
４１  設置面
４２  ボール
５０  ゴルフ練習台
【図１】
2020156577.tif 000003
【図２】
2020156577.tif 000004
【図３】
2020156577.tif 000005
【図４】
2020156577.tif 000006
【図５】
2020156577.tif 000007
【図６】
2020156577.tif 000008
【図７】
2020156577.tif 000009
【図８】
2020156577.tif 000010
【図９】
2020156577.tif 000011
【図１０】
2020156577.tif 000012
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
運搬時、設置時、使用時においてその変形が無視できる程度の剛性を有し、上面のボールが置かれる位置に対応する位置が開口しているフレームと、
前記フレームの内部に前記フレームから逸脱又は突出しないように収容され、クラブによりゴルフ練習マットが打撃された際の振動を吸収する緩衝部材とを備え、
前記フレームは、中央部に開口が形成された板状部材である天板を備え、この天板により前記緩衝部材が上方に突出しないように保持され、
前記緩衝部材は複数の緩衝層と、前記緩衝層間に配置され前記緩衝層よりも硬質の材料からなり、前記緩衝層がクラブにより打撃を受けた際に塑性変形をすることを防止する支持層とを備え
前記フレームの上部に前記ゴルフ練習マットを配置して用いるゴルフ練習マット用支持台。
【請求項２】
前記フレームには、人が指をかけて持ち運ぶため切欠が設けられていることを特徴とする請求項１記載のゴルフ練習マット用支持台。
【請求項３】
前記フレームの底面から下方に突出し、弾性のある足部材を備えることを特徴とする請求項１または請求項２に記載のゴルフ練習マット用支持台。
【請求項４】
請求項１ないし請求項３のいずれか１項に記載のゴルフ練習マット用支持台を備えたゴルフ練習台。
【手続補正２】
【補正対象書類名】明細書
【補正対象項目名】００１１
【補正方法】変更
【補正の内容】
【００１１】
本発明のゴルフ練習マット用支持台は、運搬時、設置時、使用時においてその変形が無視できる程度の剛性を有し、上面のボールが置かれる位置に対応する位置が開口しているフレームと、フレームの内部にフレームから逸脱又は突出しないように収容され、クラブによりゴルフ練習マットが打撃された際の振動を吸収する緩衝部材とを備え、フレームは、中央部に開口が形成された板状部材である天板を備え、この天板により緩衝部材が上方に突出しないように保持され、緩衝部材は複数の緩衝層と、緩衝層間に配置され緩衝部材よりも硬質の材料からなり、緩衝層がクラブにより打撃を受けた際に塑性変形をすることを防止する支持層とを備えフレームの上部にゴルフ練習マットを配置して用いる。
【手続補正３】
【補正対象書類名】明細書
【補正対象項目名】００２９
【補正方法】変更
【補正の内容】
【００２９】
緩衝部材２０の寸法は、短辺が５００ｍｍ程度、長辺が１０００ｍｍ程度、厚さ１００ｍｍ程度が想定される。緩衝部材２０を上記のような軟質の材料により構成すると、自重により容易に変形してしまうめ、取り扱いにくくなってしまう。たとえば、建築用のパネル部材のように、立てた状態で保管、運搬等ができずに、丸めておくか、平積みしておく必要がある。しかし、ゴルフ練習マット用支持台１では、緩衝部材２０が剛性のあるフレーム１０内に収容されているため、自重により大きく変形することがない。そのため、ゴルフ練習マット用支持台１はパネル部材等と同様に容易に運搬や設置をすることができる。
【手続補正４】
【補正対象書類名】明細書
【補正対象項目名】００４１
【補正方法】変更
【補正の内容】
【００４１】
図１０（ａ）、（ｂ）は緩衝部材の変形例を示す図である。図１０（ａ）に示す緩衝部材２２は、三つの緩衝層２２ａ、２２ｂ、２２ｃと、緩衝層２２ａと緩衝層２２ｂとの間に配置された支持層２２ｄと、緩衝層２２ｂと緩衝層２２ｃとの間に配置された支持層２２ｅの五つの層により構成されている。この例のように、緩衝層は３層以上とすることができる。この場合、緩衝層間の一つ以上に支持層を配置すればよく、必ずしも全てに支持層を配置しなくてもよい。支持層を２層以上とする場合は、各支持層の厚さと材質は、それぞれ、同一でもよいし異なっていてもよい。
【手続補正５】
【補正対象書類名】明細書
【補正対象項目名】００４２
【補正方法】変更
【補正の内容】
【００４２】
図１０（ｂ）に示す緩衝部材２３は、二つの緩衝層２３ａ、２３ｂと、これらの間に配置された支持層２３ｃと、緩衝層２３ａの上面に配置された支持層２３ｄの４層により構成さている。このように、緩衝層間に加えて最上部の緩衝層の上面に支持層を設けてもよい。同様に、緩衝層間に加えて最下部の緩衝層の下面に支持層を設けてもよい。